(57)【特許請求の範囲】
【請求項１】
眼鏡において、２枚の板状体とそれらを一体化する基部を備える鎧体と、該板状体に枢着される二股分岐部を有するテンプルと、よりなる回動構造を有するテンプル取付構造であって、
二股分岐部の先端を鎧体の各板状体の穴に内方から挿入し、
逃げ溝を備えた装飾体の周囲に形成された溝に前記テンプルの二股分岐部を嵌り込ませ、テンプルの二股分岐部の間に装飾体を押し込むように取り付けることにより、二股分岐部を外方に反発させ、テンプルおよび鎧体間に摩擦力を付与するようにし、前記鎧体の基部が前記逃げ溝に嵌り込むことによりテンプルの回動を規制するようにしたことを特徴とする眼鏡におけるテンプル取付構造。
【請求項２】
眼鏡において、２枚の板状体とそれらを一体化する基部を備える鎧体と、該板状体に枢着される二股分岐部を有するテンプルと、よりなる回動構造を有するテンプル取付構造であって、
装飾体の周囲に形成された溝に、先端付近に括れ部を備えた前記テンプルの二股分岐部を相互に拡開して嵌り込ませ、前記装飾体の周囲を前記二股分岐部により囲まれた状態にして、テンプルの二股分岐部で装飾体を挟み込むように圧接して取り付け、前記二股分岐部の先端の間隔を縮ませ、鎧体の各板状体の穴に内方から挿入し、二股分岐部を前記装飾体により外方に反発させ、テンプルおよび鎧体間に摩擦力を付与するようにし、前記鎧体の基部が前記括れ部に当接することによりテンプルの回動を規制するようにしたことを特徴とする眼鏡におけるテンプル取付構造。
【請求項３】
眼鏡において、２枚の板状体とそれらを一体化する基部を備える鎧体と、該板状体に枢着される二股分岐部を有するテンプルと、よりなる回動構造を有するテンプル取付構造であって、
二股分岐部の先端を鎧体の各板状体の穴に内方から挿入してから、２枚の板状体の間隔部を隠すための装飾カバー体を鎧体に嵌め込み、且つ装飾カバー体の一部を二股分岐部の間に押し込むことで、二股分岐部を外方に反発させ、テンプルおよび鎧部間に摩擦力を付与したことを特徴とする眼鏡におけるテンプル取付構造。
【発明の詳細な説明】
【０００１】
【発明の属する技術分野】
この発明は、眼鏡に関し、更に詳しく装飾部材を備えた眼鏡におけるテンプルの取付構造に関する。
【０００２】
【従来の技術】
今日、眼鏡は美的感覚の優れたものが求められてきており、このためファッション性のあるものに人気が高まっている。
特にフレーム部材である、フロント、テンプルあるいはブリッジ等に趣向をこらした装飾性のあるものに人気がある。
装飾性を持たせるために、例えば、装飾を付与するための部材（装飾部材）を直接、フロント、テンプルあるいはブリッジ等に取り付けると効果的である。
【０００３】
特にテンプルや鎧体に装飾部材を取り付けたものは、眼鏡正面のフロントに取り付けたものに比べて、厭味がなく且つさり気ない装飾性を有することから多く使用されている。
例えば、特開平９−４３５５２号に開示される眼鏡のテンプルに対する装飾部材の取付方法によれば、テンプルを二股部に分岐させ、この二股部を装飾部材の周囲溝に嵌め込み、その後、二股部の端部をブラケット（鎧体）にネジ止めすることにより装飾部材を周囲から締め付けて固定するというものである。
【０００４】
【発明が解決しようとする課題】
しかしながら、従来の眼鏡において、装飾部材を備えたテンプルを取り付けるためにネジを使用していることから、そのネジの取付けあるいは締付け調整に手間がかかる。
また、部品点数も多くならざるを得ず、構造が複雑化する。
【０００５】
本発明はかかる実情に鑑み、眼鏡において、ネジを使用しない簡単な構造で装飾体も一緒に組付け可能なテンプル取付け構造を提供することを目的とする。
【０００６】
【課題を解決するための手段】
しかして、本発明者等は、このような課題に対して、鋭意研究を重ねて結果、テンプルで装飾体を挟み込む際の反発力（反力）を利用して該テンプルを取り付けることを見い出し、この知見に基づいて本発明を完成させたものである。
【０００８】
即ち本発明は、（１）、眼鏡において、２枚の板状体とそれらを一体化する基部を備える鎧体と、該板状体に枢着される二股分岐部を有するテンプルと、よりなる回動構造を有するテンプル取付構造であって、二股分岐部の先端を鎧体の各板状体の穴に内方から挿入し、逃げ溝を備えた装飾体の周囲に形成された溝に前記テンプルの二股分岐部を嵌り込ませ、テンプルの二股分岐部の間に装飾体を押し込むように取り付けることにより、二股分岐部を外方に反発させ、テンプルおよび鎧体間に摩擦力を付与するようにし、前記鎧体の基部が前記逃げ溝に嵌り込むことによりテンプルの回動を規制するようにした眼鏡におけるテンプル取付構造に存する。
【００１１】
そしてまた、（２）、眼鏡において、２枚の板状体とそれらを一体化する基部を備える鎧体と、該板状体に枢着される二股分岐部を有するテンプルと、よりなる回動構造を有するテンプル取付構造であって、装飾体の周囲に形成された溝に、先端付近に括れ部を備えた前記テンプルの二股分岐部を相互に拡開して嵌り込ませ、前記装飾体の周囲を前記二股分岐部により囲まれた状態にして、テンプルの二股分岐部で装飾体を挟み込むように圧接して取り付け、前記二股分岐部の先端の間隔を縮ませ、鎧体の各板状体の穴に内方から挿入し、二股分岐部を前記装飾体により外方に反発させ、テンプルおよび鎧体間に摩擦力を付与するようにし、前記鎧体の基部が前記括れ部に当接することによりテンプルの回動を規制するようにした眼鏡におけるテンプル取付構造に存する。
【００１４】
そしてまた、（３）、眼鏡において、２枚の板状体とそれらを一体化する基部を備える鎧体と、該板状体に枢着される二股分岐部を有するテンプルと、よりなる回動構造を有するテンプル取付構造であって、二股分岐部の先端を鎧体の各板状体の穴に内方から挿入してから、２枚の板状体の間隔部を隠すための装飾カバー体を鎧体に嵌め込み、且つ装飾カバー体の一部を二股分岐部の間に押し込むことで、二股分岐部を外方に反発させ、テンプルおよび鎧部間に摩擦力を付与した眼鏡におけるテンプル取付構造に存する。
【００１５】
本発明によれば、２枚の板状体とそれらを一体化する基部を備える鎧体と、鎧体の基部に枢着される二股分岐部を有するテンプルと、よりなる回動構造を有する。
テンプルの二股分岐部で装飾体を挟み込むように圧接して取り付けることで、その反発力を利用してテンプルおよび鎧部間に摩擦力が生ずる。
このように装飾体を挟み込む際の反発力を利用してテンプルを取り付けることにより、簡単な構造でありながら適正にかつ確実に取り付けることができる。
【００１６】
【発明の実施の形態】
以下、図面に基づき、本発明による眼鏡におけるテンプル取付構造の好適な実施の形態を説明する。
図１〜図３は、本発明における第１の実施形態を示している。
本発明の眼鏡は、２枚の板状体１１Ａ、１１Ｂとそれらを一体化する基部１２を備える鎧体１０と、該板状体１１Ａ、１１Ｂに枢着される二股分岐部２１Ａ、２１Ｂを有するテンプル２０と、よりなる回動構造である。
図１に示されるように、テンプル２０は、基部１２に設定される枢軸Ｐのまわりに矢印のように回動するものである。
【００１７】
装飾体３０は、後述するように、テンプル２０の二股分岐部２１Ａ、２１Ｂで挟み込まれるように圧接され、テンプルに取り付けられる。
装飾体の材質としては、プラスチック材（例えば、アセチルセルロース、セルロースプロピオネート等の繊維素系樹脂、ポリカーボネート、ナイロン、アクリル等のプラスチック、琥珀、象牙、籠甲、珊瑚等の天然材）、金属材（例えば、洋白、ニッケル系合金、アルミニウム、金無垢材等）、ガラス等のセラミックス材、が用いられている。
【００１８】
二股分岐部２１Ａ、２１Ｂの先端は、垂直に折り曲げられて支軸部となっている。
この２つの先端の間隔は、通常状態では板状体１１Ａ、１１Ｂの間隔（内幅）よりも広くなっているが、把持圧が加わることにより間隔が狭まるように設定されている。
【００１９】
板状体１１Ａ、１１Ｂには、二股分岐部２１Ａ、２１Ｂの先端が挿着されるべき穴１３Ａ、１３Ｂが形成されている。
この場合、鎧体１０とテンプル２０とは、鎧体１０の各板状体１１Ａ、１１Ｂの穴１３Ａ、１３Ｂに、テンプル２０の二股分岐部２１Ａ、２１Ｂの各先端がそれぞれ内方から挿入されることで回動可能に取り付けられることになる。
ここで、テンプルはステンレス、βチタン等のＴｉ合金、チタンニッケル合金等の金属材でできていることから、二股分岐部２１Ａ、２１Ｂは適度な弾発力を備える。
【００２０】
二股分岐部２１Ａ、２１Ｂの各先端をそれぞれ、板状体１１Ａ、１１Ｂの穴１３Ａ、１３Ｂに挿入する場合、それらの間に図示しない樹脂ワッシャを介挿することが可能である。
そして、樹脂ワッシャーを選択することにより、テンプル２０を枢軸Ｐのまわりに回動させる際の回動抵抗を変えることができる。
つまり、テンプル２０と鎧体１０の間に回動抵抗があると、テンプル２０を回動した場合、ぐらつかなく、且つ抵抗感のある回動が可能となる。
【００２１】
なお、このワッシャの材料としては、ナイロン、ポリエステル系エラストマー、ナイロン系エラストマー、ウレタン系エラストマー、ポリカーボネイト、ポリスチレン、塩化ビニール、ＡＢＳ樹脂あるいはポリアセタール樹脂等が採用される。
【００２２】
装飾体３０の周囲には、二股分岐部２１Ａ、２１Ｂが安定して嵌まり込むようにした溝３１が形成されている。
ここで、テンプルを取り付ける場合、先ず、テンプルを把持し、図２矢印▲１▼のように、二股分岐部２１Ａ、２１Ｂの先端の間隔を縮め、内方から鎧体１０の板状体１１Ａ、１１Ｂの穴１３Ａ、１３Ｂに当接させ、指を離す。
二股分岐部２１Ａ、２１Ｂの弾発力により穴１３Ａ、１３Ｂに二股分岐部２１Ａ、２１Ｂの先端が挿着される。
【００２３】
次に、その状態で図２矢印▲２▼のように、やや大きめの装飾体３０を二股分岐部２１Ａ、２１Ｂの間にスライドして強く押し込む。
すると装飾体３０は、その溝３１のところで二股分岐部２１Ａ、２１Ｂに嵌まり込み、両者は確実に結合される（図３（Ａ）、（Ｂ）参照）。
【００２４】
このように鎧体にテンプルが取付けられた状態では、装飾体３０により二股分岐部２１Ａ、２１Ｂの各々が外方に反発されテンプルと鎧体との間に摩擦力が付与される。
その結果、テンプルの回動に抵抗力が働いて、いわゆる節度感が生じるのである。
上記の場合、装飾体３０には鎧体１０の基部１２に対する逃げ溝３２が形成されており、図１のように基部１２が逃げ溝３２に嵌まり込みその底部に当接することによって、テンプル２０の拡開（回動）が規制される。
以上のように、鎧体にテンプルを装飾体３０と一緒に簡単に取り付けることができる（図６（Ａ）、（Ｂ）参照）。
【００２５】
図４〜図６は、本発明における第２の実施の形態を示している。
この例では、前述の実施の形態と同じように、鎧体１０の各板状体１１Ａ、１１Ｂの穴１３Ａ、１３Ｂに二股分岐部２１Ａ、２１Ｂの先端がそれぞれ内方から挿着されるようになっているが、特に図５に示されるように、テンプル２０は二股分岐部２１Ａ、２１Ｂの先端付近に括れ部２２を備えており、装飾体３０の周囲が二股分岐部２１Ａ、２１Ｂで囲まれた状態となる。
【００２６】
そして、装飾体３０の周囲には二股分岐部２１Ａ、２１Ｂが嵌まり込む溝３１が形成されているので、装飾体３０が二股分岐部２１Ａ、２１Ｂで把持された状態で安定して固定される。
なお、テンプル２０の拡開（回動）は、鎧体１０にテンプル２０の括れ部２２が当接することにより規制される。
【００２７】
この第２の実施形態において、鎧体１０にテンプル２０を取付ける場合、先ず、二股分岐部２１Ａ、２１Ｂを相互に拡開させた状態にして、装飾体３０の溝３１に二股分岐部２１Ａ、２１Ｂを嵌め込む（図５矢印▲１▼参照）。
そして二股分岐部２１Ａ、２１Ｂの間にやや大きめの装飾体３０が嵌まり込んだ状態で、さらに二股分岐部２１Ａ、２１Ｂの先端の各々間隔を縮ませ、板状体１１Ａ、１１Ｂの穴１３Ａ、１３Ｂに内方から挿入する（図５矢印▲２▼参照）。
【００２８】
このように鎧体１０にテンプル２０が取付けられた状態では、上記第１の実施の形態と同じように、やや大きめの装飾体３０により、二股分岐部２１Ａ、２１Ｂの各々が外方に反発力を受けテンプル２０と鎧体１０との間に摩擦力が付与される。
その結果、テンプル２０の回動に抵抗力が働いて、いわゆる節度感が生じるのである。
このようにして鎧体１０にテンプル２０を装飾体３０と一緒に簡単に取り付けることができる（図６（Ａ）、（Ｂ）参照）。
【００２９】
図７および図８は、本発明における第３の実施形態を示している。
この例では、二股分岐部２１Ａ、２１Ｂと装飾体３０とが平板状に形成されている。
そして装飾体３０の突起３３が二股分岐部２１Ａ、２１Ｂに設けられた穴２３に嵌まり込むことによって、より両者の結合が確実となるものである。
また、二股分岐部２１Ａ、２１Ｂの先端の一対の突出部２４が板状体１１Ａ、１１Ｂの各穴１３Ａ、１３Ｂに嵌まり込む。
【００３０】
第３の実施形態においては、先に、やや大きめの装飾体３０を二股分岐部２１Ａ、２１Ｂの間に挿着し、二股分岐部２１Ａ、２１Ｂの先端の各々間隔を縮め、板状体１１Ａ、１１Ｂの穴１３Ａ、１３Ｂに突出部２４を挿入することで、鎧体１０にテンプル２０を装飾体３０と一緒に組み付けることができる（図８矢印▲１▼、▲２▼参照）。
【００３１】
鎧体１０にテンプル２０が取付けられた状態では、二股分岐部２１Ａ、２１Ｂが装飾体３０により外方へ反発力を受けテンプル２０と鎧体１０との間に摩擦力が付与される。
その結果、テンプル２０の回動に抵抗力が働いて、いわゆる節度感が生じる。上記の場合、図７に示されるように、テンプル２０の一部、すなわち二股分岐部２１Ａ、２１Ｂの角部Ｑが鎧体１０の基部１２に当接することによって、テンプル２０の拡開が規制される。
【００３２】
図９〜図１１は、本発明における第４の実施形態を示している。
この例では、鎧体１０に装飾カバー体４０が取付けられ、２枚の板状体１１Ａ、１１Ｂの間隔部が隠されて見えない。
そのため、鎧体１０の２枚の板状体１１Ａ、１１Ｂの間には係合部１４が設けられ、他方の装飾カバー体４０には、その係合部１４に係止する凹溝４１が形成されている。
【００３３】
鎧体にテンプルを取り付ける場合、先ず、テンプルを掴んで、図１０矢印▲１▼のように、二股分岐部２１Ａ、２１Ｂの先端の間隔を縮め、内方から鎧体１０の板状体１１Ａ、１１Ｂの穴１３Ａ、１３Ｂに挿入する。
その後、図１０矢印▲２▼のように、装飾カバー体４０が２枚の板状体１１Ａ、１１Ｂの間隔部を被うように嵌め込まれる。
【００３４】
この嵌め込む際、同時に装飾カバー体４０の一部である中壁４２を、二股分岐部２１Ａ、２１Ｂの間に楔を打つように押し込んで取り付ける。
従って、装飾カバー体４０により二股分岐部は外方に反発力を受け、テンプルおよび鎧部間に摩擦力が付与される。
【００３５】
本発明においては、今まで述べた如く、テンプル２０の二股分岐部２１Ａ、２１Ｂが装飾体３０又は装飾カバー体４０により外方に反発力を与えられる結果、テンプル２０および鎧体１０間に摩擦力が付与される。
従って、テンプルを回動した際の抵抗感、いわゆる節度感が生ずる。
【００３６】
以上、本発明を説明してきたが、本発明は実施形態にのみ限定されるものではなく、その本質から逸脱しない範囲で、他の種々な変形例が可能であることは言うまでもない。
例えば、図８における、装飾体の突起及び二股分岐部の穴は、逆に装飾体の穴及び二股分岐部の突起とすることも当然可能である。
また、装飾体の形態は、テンプルの二股分岐部に対して外方の反発力を生じさせるものであれば十分採用できる。
【００３７】
【発明の効果】
以上説明したように、本発明によれば、装飾体を挟み込み、そのときの反力を利用してテンプルを取り付けているので、簡単な構造でありながら適正にかつ確実に取り付けることができる。
また、接着、ロー付やネジ止め等が不要であるので、組み付けが極めて簡単である。
また、装飾体及び装飾カバー体の交換が容易に可能となり、装飾の自由度が増す。
【図面の簡単な説明】
【図１】図１は、本発明の眼鏡におけるテンプル取付構造の第１の実施形態の斜視図である。
【図２】図２は、本発明の眼鏡におけるテンプル取付構造の第１の実施形態の分解斜視図である。
【図３】図３は、本発明の眼鏡におけるテンプル取付構造の第１の実施形態の側面図および上面図である。
【図４】図４は、本発明の眼鏡におけるテンプル取付構造の第２の実施形態の斜視図である。
【図５】図５は、本発明の眼鏡におけるテンプル取付構造の第２の実施形態の分解斜視図である。
【図６】図６は、本発明の眼鏡におけるテンプル取付構造の第２の実施形態の側面図および上面図である。
【図７】図７は、本発明の眼鏡におけるテンプル取付構造の第３の実施形態の斜視図である。
【図８】図８は、本発明の眼鏡におけるテンプル取付構造の第３の実施形態の分解斜視図である。
【図９】図９は、本発明の眼鏡におけるテンプル取付構造の第４の実施形態の斜視図である。
【図１０】図１０は、本発明の眼鏡におけるテンプル取付構造の第４の実施形態の分解斜視図である。
【図１１】図１１は、本発明の眼鏡におけるテンプル取付構造の第４の実施形態の側面図および上面図である。
【符号の説明】
１０…鎧体
１１Ａ、１１Ｂ…板状体
１２…基部
１３Ａ、１３Ｂ…穴
１４…係合部
２０…テンプル
２１Ａ、２１Ｂ…二股分岐部
２２…括れ部
２３…穴
２４…突出部
３０…装飾体
３１…溝
３２…逃げ溝
３３…突起
４０…装飾カバー体
４１…凹溝
４２…中壁
Ｑ…角部
Ｆ…フレーム
【図１】
0003969684.tif 000002
【図２】
0003969684.tif 000003
【図３】
0003969684.tif 000004
【図４】
0003969684.tif 000005
【図５】
0003969684.tif 000006
【図６】
0003969684.tif 000007
【図７】
0003969684.tif 000008
【図８】
0003969684.tif 000009
【図９】
0003969684.tif 000010
【図１０】
0003969684.tif 000011
【図１１】
0003969684.tif 000012